(57)【要約】【課題】証紙等の遊技機情報を保護しつつ遊技盤に備えることを可能とする簡易かつ遊技盤前面の美観を損ねない取付構造を搭載した弾球遊技機を提供する。【解決手段】遊技盤ベース１９に各種遊技部材を配設してなる遊技盤１８が、遊技機本体２に装着されると共に、前記遊技盤ベース１９に、遊技機に関する情報を表示した遊技機情報部材２３を備え、遊技盤ベース１９は、透光性部材で形成した領域Ｃを有すると共に、前記遊技機情報部材２３が挿入される遊技機情報部材挿入口２８ａを有し、前記遊技機情報部材２３を前記領域Ｃを通して視認可能に内装する取付部２８を備えた。【選択図】    図１
2005125074.tif 000002
【特許請求の範囲】
【請求項１】
遊技盤ベースに各種遊技部材を配設してなる遊技盤が、遊技機本体に装着されると共に、前記遊技盤ベースに、遊技機に関する情報を表示した遊技機情報部材を備え、
遊技盤ベースは、透光性部材で形成した領域を有すると共に、
前記遊技機情報部材が挿入される遊技機情報部材挿入口を有し、前記遊技機情報部材を前記領域を通して視認可能に内装する取付部を備えたことを特徴とする弾球遊技機。
【請求項２】
取付部は、遊技盤ベースの側面に遊技機情報部材挿入口を臨ませて内方に向けて凹設されていることを特徴とする請求項１に記載の弾球遊技機。
【請求項３】
取付部は、遊技盤ベースの裏面に遊技機情報部材挿入口を臨ませて内方に向けて凹設されていることを特徴とする請求項１に記載の弾球遊技機。
【請求項４】
取付部は、遊技盤ベースの下端面又は上端面に遊技機情報部材挿入口を臨ませて内方に向けて凹設されていることを特徴とする請求項１に記載の弾球遊技機。
【請求項５】
遊技盤を遊技機本体に装着した際に、遊技機情報部材の抜け落ちを防止する抜け止め部を、取付部の遊技機情報部材挿入口と相対向する遊技機本体の所望箇所に設けたことを特徴とする請求項１乃至４のいずれかに記載の弾球遊技機。
【請求項６】
遊技盤の周囲に遊技盤ベースの端部を保護するコーナーガード部材を設け、該コーナーガード部材により取付部の遊技機情報部材挿入口を塞ぐことを特徴とする請求項２乃至４のいずれかに記載の弾球遊技機。
【請求項７】
遊技機情報部材は、取付部内に収容可能とした形状の板材と、該板材の前面に備えた所望な遊技機情報で構成されていることを特徴とする請求項１乃至６のいずれかに記載の弾球遊技機。
【請求項８】
遊技盤の取付部側と遊技機情報部材側のいずれか一方若しくは双方に支持部を設け、
該支持部を介して取り付けられた遊技機情報部材の前面と取付部の内面の間に隙間が形成されていることを特徴とする請求項７に記載の弾球遊技機。
【発明の詳細な説明】
【技術分野】
【０００１】
本発明は、遊技盤の前面に証紙などの遊技機情報が備えられる弾球遊技機、詳しくは、その遊技機情報の取付構造の改良に関する。なお、「遊技機情報」とは、公共機関や各種組合の検定を受けていることを証する証紙や、その遊技機の大当たり確率、賞球数、時短機能有無などを表示するスペックシートなど、遊技機に関する種々の情報を伝達するものをいう。
【背景技術】
【０００２】
弾球遊技機、いわゆるパチンコ機は、例えば、公共機関の検定を受け、この検定に合格したものに限り設置され、遊技に供されるものである。この検定を受けた証は、盤などの検定番号、製造業社名、製造年月日などを記載した証紙としてパチンコ機に貼付されている。また、各種組合の認定番号などを記載した証紙も同様である。
従来のパチンコ機の証紙は、遊技盤前面の遊技領域外の隅に直接貼付されただけのものが大半である。しかし、このような貼付状態では証紙に傷が付いてしまったり、剥がれ落ちてしまう虞が多分にあった。
そこで、証紙に傷などが付かないように、証紙を遊技盤の前面へ貼付して、その上を透明なカバー部材で覆って視認可能にしつつ保護する構造がある。また、遊技盤前面に凹部を形成し、該凹部内面に粘着剤を介して証紙を貼付し、そしてその凹部の前面開口部分に透明な樹脂製カバー部材を嵌め込むことにより、視認性を維持しつつ保護する構造も知られている（例えば特許文献１参照。）。
【特許文献１】特開２００３−１０４９９号公報
【発明の開示】
【発明が解決しようとする課題】
【０００３】
しかし、上記従来の構造では、証紙等を覆うカバー部材を前面側から取り付ける構造となるため、次のような種々の問題を有しており、視認性を維持しつつ証紙の保護を十分に図り得ないという不安を抱えていた。
（１）カバー部材が何等かの外的要因により遊技盤とガラス枠の間に外れ落ちてしまうことがあり、保護が十分ではない。
（２）カバー部材と遊技盤との境界線が遊技者から直視できる位置に露呈するため、遊技盤前面の美観を損ねるものである。
（３）カバー部材で証紙を保護していることが遊技者側から容易に分かってしまい悪意ある遊技者による悪戯を招くこととなりかねない。
【０００４】
本発明は、このような問題を解決するためになされており、その目的とするところは、証紙等の遊技機情報を保護しつつ遊技盤に備えることを可能とする簡易かつ遊技盤前面の美観を損ねない取付構造を搭載した弾球遊技機を提供することにある。
【課題を解決するための手段】
【０００５】
このような目的を達成するために、第１の発明は、遊技盤ベース１９に各種遊技部材２０を配設してなる遊技盤１８が、遊技機本体２に装着されると共に、前記遊技盤ベース１９に、遊技機に関する情報を表示した遊技機情報部材２３を備え、遊技盤ベース１９は、透光性部材で形成した領域を有すると共に、前記遊技機情報部材２３が挿入される遊技機情報部材挿入口２８ａを有し、前記遊技機情報部材２３を前記領域を通して視認可能に内装する取付部２８を備えたことを特徴とする弾球遊技機にある。
このような手段によれば、遊技機情報２５を保護する透明カバーなどの別途部材を、遊技盤ベース１９の前面１９ｂ側に取り付ける必要が無いので、カバー部材と遊技盤ベース１９の前面１９ｂとの境界線が現れず、遊技盤前面１９ｂの美観を損ねる虞がない。また、遊技盤１８からのカバー部材の落下もないため確実な保護が図りえる。
また、上述の通りカバー部材と遊技盤ベース前面１９ｂとの境界線が現れないため、悪意ある遊技者による悪戯を未然に防止できる。
【０００６】
第２乃至第４の発明は、第１の発明において、前記取付部２８が、遊技盤ベース１９の側面１９ａ、裏面１９ｃ、下端面１９ｄ及び上端面１９ｅのいずれかに、遊技機情報部材挿入口２８ａを臨ませて内方に向けて凹設されていることを特徴とする。
本発明によれば、遊技機情報部材２３を前記挿入口２８ａへ挿入するだけで、遊技機情報の取付が行えるため、遊技機情報の設置が大変容易であると共に、遊技盤１８とガラス枠（板）４との間に外れ落ちる虞がない。
【０００７】
第５の発明は、第１乃至第４の発明において、遊技盤１８を遊技機本体２に装着した際に、遊技機情報部材２３の抜け落ちを防止する抜け止め部３２を、取付部２８の遊技機情報部材挿入口２８ａと相対向する遊技機本体２の所望箇所に設けたことを特徴とする。
本発明によれば、遊技盤１８装着状態で、遊技機本体２の抜け止め部３２により遊技機情報部材挿入口２８ａが閉蓋されるため、悪意の遊技者によって遊技機情報部材２３を取り外されるという悪戯を防止できる。
【０００８】
第６の発明は、第２乃至第４の発明において、遊技盤１８の周囲に遊技盤ベース１９の端部２４ｂを保護するコーナーガード部材３０を設け、該コーナーガード部材３０により取付部２８の遊技機情報部材挿入口２８ａを塞ぐことを特徴とする。
本発明によれば、遊技盤１８の端部２４ｂを保護すると同時に、遊技盤１８装着状態で、コーナーガード部材３０により遊技機情報部材挿入口２８ａが閉蓋されるため、悪意の遊技者によって遊技機情報部材２３を取り外されるという悪戯を防止できる。
【０００９】
第７の発明は、第１乃至第６の発明において、遊技機情報部材２３は、取付部２８内に収容可能とした形状の板材２４と、該板材２４の前面に備えた所望な遊技機情報２５で構成されていることを特徴とする。
本発明によれば、遊技機情報２５が板材２４により保持された状態で取付部２８内に収容される。
【００１０】
第８の発明は、第７の発明において、遊技盤１８の取付部２８側と遊技機情報部材２３側のいずれか一方若しくは双方に支持部２９，２６を設け、該支持部２９，２６を介して取り付けられた遊技機情報部材２３の前面２３ａと取付部２８の内面２８ｃの間に隙間Ｓ３〜Ｓ５が形成されていることを特徴とする。
本発明によれば、上述の隙間Ｓ３〜Ｓ５により、遊技機情報部材２３を取付部２８に挿入する際に、遊技機情報２５が損傷するのを防止できる。
【発明の効果】
【００１１】
本発明によれば、従来のように遊技機情報を保護する透明カバーなどの別途部材を、遊技盤ベースの前面側に取り付ける構成ではないので、カバー部材と遊技盤ベース表面との境界線が現れず、遊技盤前面の美観を損ねる虞がない。また、遊技盤からのカバー部材の落下もないため確実な保護が図りえる。
また、上述の通りカバー部材と遊技盤ベース表面との境界線が現れないため、悪意ある遊技者による悪戯を未然に防止できる。
従って、証紙等の遊技機情報２５を保護しつつ遊技盤に備えることを可能とする簡易かつ遊技盤前面の美観を損ねない取付構造を搭載した弾球遊技機を提供することにある。
【発明を実施するための最良の形態】
【００１２】
以下、本発明の一実施形態について説明する。なお、本実施形態は本発明の一例にすぎずなんらこれに限定解釈されるものではなく、本発明の範囲内で設計変更可能である。なお、遊技機１の全体構成は、以下に詳述する実施例１乃至実施例７において共通するため、実施例１の説明を実施例２乃至実施例７に援用し、夫々の実施例２乃至実施例７ではその特徴的な構成の説明に留めるものとする。
【実施例１】
【００１３】
図１は、本発明を適用した弾球遊技機（パチンコ機ともいう）の一例であり、遊技枠１に遊技機本体２を開閉可能に支持している。
本体２の前面上部には、ガラス板４を嵌めたフロント扉３を有し、その内方に遊技盤１８を備える。本体２の前面下部には、貸球及び賞球を受け止める上皿５、上皿５満杯時に球出口の内方で溢れた球を受け止める下皿６、そして発射装置のハンドル７を備える。ハンドル７のレバー７ａを時計方向に回転させることにより、内蔵する発射ソレノイドを作動させて遊技球を遊技領域Ａに打ち出す。
上皿５には、効果音やＢＧＭ、エラー音などを出力するステレオ式のスピーカ１０を内蔵すると共に、遊技機に隣接して設置される図示しないＣＲカードユニットから球貸し等するための操作スイッチ１１を備える。
そして、遊技枠１の内枠セット８側には、液晶表示装置などの表示装置９が配設されている。なお、遊技盤ベース１９の裏側には図示しない主制御基板などが配設されている。
また、本実施例では、液晶表示装置９により、例えば、正面から見て、横方向の三列にわたって数字、記号等の特別図柄（左特別図柄・中特別図柄・右特別図柄）を変動表示させたり、演出表示等を行ったりする弾球遊技機をもってその一例を説明するが、本発明はこれに限定されず、このような表示装置以外の表示装置を備える弾球遊技機、あるいは表示装置を備えない弾球遊技機など、弾球遊技機全般にわたって適用可能である。
また、投影機からの動画又は静止画を、反射板で屈折して表示させる投影型画像表示装置を用いる遊技機も対象である。
【００１４】
遊技盤１８は、遊技盤ベース１９と、該遊技盤ベース１９に備えられる各種遊技部材２０とで構成されており、該遊技盤ベース１９には、遊技に関する情報を表示した遊技機情報部材２３を備えるための取付部２８が形成されている。
【００１５】
遊技盤ベース１９は、本実施例では、そのベース全体を透光性部材で形成する。なお、遊技盤ベース１９は、透光性部材で形成した領域を少なくとも一部に有するものであれば本発明の範囲内である。すなわち、遊技盤ベース１９における遊技機情報部材配設領域Ｃのみが少なくとも透光性部材からなるものであればよい。この遊技機情報部材配設領域Ｃは、一般には遊技盤ベース１９を正面から見た場合のガイドレール２１と右下隅部分との間の略三角形状の領域であるが、特に限定されるものではなく、実施の形態に応じて適宜設計変更可能である。
なお、本発明は、透光性部材からなる遊技盤ベース１９の裏面側の所望箇所に化粧パネルを取り付けて遊技盤ベース１９の装飾を図ることを妨げるものではない。
また、遊技盤ベース１９は、例えば次のような形態も一例として挙げられる。
すなわち、図３（ａ）は、表示領域Ｂにあたる部分全体を透光性部材ａで形成すると共に、その下方領域全体を木製部材ｂで形成してなるもの、図３（ｂ）は、全体を木製部材ｂで形成すると共に、その中心部分に嵌合穴を形成し、該嵌合穴に表示領域Ｂとなる透光性部材ａを嵌合してなるもの、図３（ｃ）は全体を透光性部材ａとすると共に、その中心部分に表示領域Ｂとしての透光性部分を残してその周囲（裏面側）を着色塗装して非透過としたものである。
【００１６】
遊技盤ベース１９を形成する透光性部材は、例えば遊技部材２０を固定でき、かつ、容易に変形（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。
本実施例において遊技盤ベース１９の全体を構成する透光性部材は無色透明とするが、有色透明部材を採用することも可能である。また仕様によっては遊技盤ベース１９を無色透明部材と有色透明部材とで構成したり、遊技盤ベース１９に色彩・模様を施すことも可能である。この場合、模様は無色透明の線図が好ましいが、遊技盤ベース１９裏面側に配設される表示装置９の構成によっては有色模様を施すことも可能で本発明の範囲内である。
【００１７】
遊技部材２０は、弾球遊技機において遊技に必要な全ての部材を言い、例えば、遊技領域Ａを区画すると共に、該遊技領域Ａに発射ソレノイドから打ち出される発射球を導くガイドレール２１、遊技領域Ａに打ち出された遊技球が当たり、遊技球の流下方向を転動案内する遊技球誘導部材２２、前記特別図柄表示装置の変動表示を起動すると共に、大当たりとするか否かの抽選処理を起動するチューリップ式の普通電動役物からなる始動口１２、大当たり時に開放するアタッカと称する第一種特別電動役物の大入賞口１３、一般入賞口となる左右の入賞口１４、左右の風車１５、遊技領域での入賞を逃したアウト球を排出するアウト口１６、遊技盤ベース１９に打たれている多数の遊技釘１７などが一例として挙げられる。
【００１８】
遊技機情報部材２３は、盤などの検定番号、製造業社名、製造年月日などを記載した証紙や、その遊技機の大当たり確率などを表示するスペックシートなど、遊技機に関する種々の遊技機情報２５を伝達するもので、例えば所望形状に形成した板材２４と、該板材２４の前面に添付した前記紙・シート状の遊技機情報２５で構成されている。前記板材２４は、特にその形状が特定されるものではないが、後述する取付部２８内に収容可能な形状とする。
また、本実施例では、板材２４と証紙などの紙・シート状の遊技機情報２５との二部構成となっているが、遊技機情報２５を開示する部材そのもので一定の形状維持ができるよう厚肉状などに形成されているものであれば遊技機情報単体で構成されているものであってもよい。
【００１９】
取付部２８は、前述のように遊技盤ベース１９における透光性部材で形成した遊技機情報部材配設領域Ｃを通して前記遊技機情報部材２３を視認可能に遊技盤ベース１９内に内装するもので、前記遊技機情報部材２３が挿入される遊技機情報部材挿入口２８ａを遊技盤ベース１９の所望箇所に有している。
本実施例では、図２に示すように、遊技盤ベース１９の側面１９ａに前記挿入口２８ａが臨むように前記領域Ｃに形成されている。すなわち、上述した遊技盤ベース１９の右下隅部分の略三角形状の領域Ｃにて、透光性を有する遊技盤ベース１９を介して前方から視認可能に形成されており、遊技盤ベース１９の側面１９ａに形成される遊技機情報部材挿入口２８ａの端面形状と同一形状で遊技盤ベース１９内に所望深さで収容部２８ｂが内設されている。
【００２０】
また本実施例では、図２（ｂ）に示す断面図のように、取付部２８の収容部２８ｂ内に収容した遊技機情報部材２３の前後にスペースＳ１，Ｓ２が形成されるように取付部２８（収容部２８ｂ）内幅Ｗ１と遊技機情報部材幅Ｗ２が形成されているが、前記スペースＳ１，Ｓ２が形成されずに取付部２８（収容部２８ｂ）内面と遊技機情報部材２３が密接するものであっても構わない。
本実施例によれば、従来のようにカバー部材を取り付けるものではないため、遊技盤ベース１９前面１９ｂにカバー部材などの境界線が現れず、遊技盤前面１９ｂの美観を損ねる虞がない。また、従来のように遊技盤からのカバー部材の落下もないため確実な保護が図りえる。
【実施例２】
【００２１】
本実施例２は、図４に示すように、遊技機情報部材２３を支えると共に、挿入時の案内としても働く上下の支持部（段部）２９，２９が、取付部２８の遊技機情報部材挿入口２８ａから収容部２８ｂ長さ方向にわたって形成され、該支持部２９を介して取り付けられた遊技機情報部材２３の前面２３ａと取付部２８の収容部２８ｂの内面２８ｃの間に隙間Ｓ３が形成されている。これにより、板材２４に貼り付けられている証紙などの遊技機情報２５が、取付部２８に挿入する際に、取付部２８に擦れて損傷するのを防止する。
なお、取付部２８を形成する領域は、実施例１と同様に、上述した遊技盤ベース１９の右下隅部分の略三角形状の領域Ｃとする。
本実施例では、矩形状に形成した板材２４の前面中央に、該板材２４よりも小さな証紙などの遊技機情報２５を貼り付けて遊技機情報部材２３が構成されており、この遊技機情報部材２３の遊技機情報端縁２５ａから板材２４の端縁２４ａまでの間の面２３ｂが、前記支持部２９に摺接して挿入・収容され、遊技機情報２５と取付部２８の収容部２８ｂの内面２８ｃとの間に前記隙間Ｓ３が形成される。従って、板材２４の前面に備えられている遊技機情報２５は、取付部２８の収容部２８ｂの内面２８ｃと隙間Ｓ３を介して非接触状態で収容されるため、挿入時などに損傷することもない。なお、特に図示はしないが、遊技機情報部材を構成している板材の上下面に夫々間隔をあけて少なくとも二個の突起を設け、該突起が前記支持部内を摺動する構成としてもよく、遊技機情報２５が取付部２８に擦れたりして損傷しないように構成されていれば本発明の範囲内である。
【実施例３】
【００２２】
本実施例３は、図５に示すように、図１，２の実施例のように、遊技盤ベース１９の側面１９ａに遊技機情報部材挿入口２８ａを臨ませて取付部２８を凹設した実施例において、遊技盤ベース１９の側面１９ａに、該ベース１９の角欠け等を防ぐコーナーガード部材３０を設け、これにより前記取付部２８の遊技機情報部材挿入口２８ａを塞ぎ、証紙などの遊技機情報２５を添付した遊技機情報部材２３の抜け落ちを防止している。なお、取付部２８を形成する領域は、実施例１と同様に、上述した遊技盤ベースの右下隅部分の略三角形状の領域Ｃとする。
【００２３】
コーナーガード部材３０は、一般に知られている構成が採用可能で、本実施例では、片側の側面１９ａ全域を覆う正面視コ型のものであるが、夫々の四隅の端部２４ｂを覆う形状の短尺ものを四隅の端部２４ｂに備えるものであってもよい。
すなわち、本実施例によれば、遊技盤（遊技盤ベース）１８の端部２４ｂを保護すると同時に、遊技盤１８装着状態で、コーナーガード部材３０により遊技機情報部材挿入口２８ａが閉蓋されるため、遊技機情報部材２３の抜け止めが図れると同時に悪意の遊技者によって遊技機情報部材２３を取り外されるという悪戯を防止できる。
また、本実施例では、取付部２８を図面上で遊技盤ベース１９の右下隅部分に設けている場合の実施の一例であるが、取付部２８が例えば左下隅部分であってもよく、また左右の上隅部分であっても本実施例で対応可能、すなわち、遊技盤１８（遊技盤ベース１９）の端部２４ｂを保護すると同時に、遊技盤１８装着状態で、コーナーガード部材３０により遊技機情報部材挿入口２８ａが閉蓋可能とする作用効果を奏することは勿論である。また、本実施例では、実施例１，２の構成の取付部２８であっても勿論対応可能である。
【実施例４】
【００２４】
本実施例４は、図６に示すように、遊技盤ベース１９の裏面１９ｃに遊技機情報部材挿入口２８ａを臨ませて内方に向けて取付部２８が凹設されている実施の一例である。なお、取付部２８を形成する領域は、実施例１と同様に、上述した遊技盤ベースの右下隅部分の略三角形状の領域Ｃとする。
本実施例にあっては、図６（ａ）に示すように、遊技盤ベース１９の裏面１９ｃに臨んでいる前記挿入口２８ａと同一形状で遊技盤ベース１９の前面１９ｂ方向に向けて収容部２８ｂが凹設されている。
【００２５】
また、図６（ｂ）では、遊技盤ベース１９の裏面１９ｃに遊技機情報部材挿入口２８ａを臨ませて内方に向けて取付部２８が凹設されていると共に、取付部２８の遊技機情報部材挿入口２８ａに、上下の支持部（段部）２９，２９が形成され、該支持部２９を介して取り付けられた遊技機情報部材２３の前面２３ａと取付部２８の収容部２８ｂの内面２８ｃの間に隙間Ｓ４が形成され、板材２４に貼り付けられている証紙などの遊技機情報２５が取付部２８に擦れて損傷しないように防止する実施の一例である。なお、本図示例で使用される遊技機情報部材２３の形状は、実施例２で説明した遊技機情報部材２３の形状と同じであるためその説明は省略する。
【００２６】
そして、図６（ｃ）は、遊技盤ベース１９の裏面１９ｃに取付部２８を設けた点については、本実施例の他の形態と同一であるが、本実施例では、遊技機情報部材２３側に支持部２６を設け、図６（ｂ）と同様の作用効果を奏するものである。すなわち、遊技機情報部材２３を構成している板材２４の前面に遊技機情報２５が凹設状に備えられる凹部２７を形成し、該凹部２７に遊技機情報２５が備えられることにより、遊技機情報２５と取付部２８の収容部２８ｂの内面２８ｃとの間に隙間Ｓ５が形成される。なお、遊技機情報部材２３の板材２４に設けられる支持部２６の形状にあっては本実施例の図示形状に限定して解釈されるものではなく、本発明の範囲内で適宜設計変更可能である。
【００２７】
さらに、本実施例にて説明した各形態にあっては、実施例１等のように遊技機情報部材挿入口２８ａからスライドさせて遊技機情報部材２３を収容させるものではなく、前記挿入口２８ａが遊技機情報部材２３と同一形状で遊技盤ベース１９の裏面１９ｃに開口しているものであるため、裏側から遊技機情報部材２３を押さえて抜け止め防止を図る凹部３１機構が必要である。本実施例では、図１に示すように、遊技機本体２に遊技盤１８が内装される凹部３１を設けると共に、該凹部３１内に遊技盤裏面が装着される面（抜け止め部３２）を形成し、遊技盤１８装着状態で、前記面（抜け止め部３２）により、遊技盤ベース１９の裏面１９ｃに臨んでいる遊技機情報部材挿入口２８ａを塞ぐように遊技盤ベース１９の裏面１９ｃに密着するものとする（例えば、図６（ｂ）（ｃ）参照）。これによれば、遊技盤１８装着と同時に遊技盤１８の裏側から遊技機情報部材２３を遊技盤１８との間で挟持することができるため、遊技機情報部材２３の抜け止めとして作用する。
なお、前記面（抜け止め部３２）は、遊技機情報部材２３を遊技盤１８とで挟持し得るだけの大きさを有すればよく、遊技機情報部材２３の板材２４と同形状であっても、異なる形状（大小任意）であってもよく、また、図示のように遊技機情報部材挿入口２８ａを閉蓋する大きさであってもよく任意である。
【実施例５】
【００２８】
本実施例５は、遊技機本体２に遊技盤１８が装着される面（抜け止め部３２）を形成し、遊技盤装着状態で、該面（抜け止め部３２）で遊技盤ベースの遊技機情報部材挿入口２８ａを閉蓋するようにして遊技機情報部材２３の抜け止めとする実施の一例である。前記実施例４にて抜け止め防止を図った機構と異なるのは、取付部２８が実施例１，２のように、遊技盤ベースの側面にその遊技機情報部材挿入口２８ａを臨ませて形成されている実施の形態の場合に用いられる機構とする点である。
例えば、図１のように遊技盤が内装される凹部３１を遊技機本体に形成し、該凹部内側面３１ａが、遊技盤１８装着時に前記挿入口２８ａを閉蓋するよう遊技盤ベース１９の側面１９ａに密着するものとする。これによれば、遊技盤１８装着と同時に遊技機情報部材挿入口２８ａを凹部内側面３１ａが閉蓋するため、該内側面３１ａが抜け止め部３２として遊技機情報部材２３の抜け止めとして作用する。なお、本実施例において遊技機本体２に遊技盤１８が装着される面（抜け止め部３２）の構成は、図示例に限定されることなく本発明の範囲内で設計変更可能である。
【実施例６】
【００２９】
本実施例６は、図７に示すように、遊技盤ベースの下端面１９ｄに遊技機情報部材挿入口２８ａを臨ませて遊技盤ベース１９の内方に向けて取付部２８を凹設した実施の一例である。なお、取付部２８を形成する領域は、実施例１と同様に、上述した遊技盤ベース１９の右下隅部分の略三角形状の領域Ｃとする。尚、作用効果は、実施例１と同様であるため説明は省略する。
また、本実施例の場合、取付部２８の収容部２８ｂに内装した遊技機情報部材２３の抜け止めを図るが、実施例３や実施例５の抜け止め構成を本発明の範囲内で採用可能である。
【００３０】
すなわち、実施例３のようにコーナーガード部材３０の内面を、本実施例の遊技機情報部材挿入口２８ａを閉蓋する位置まで延設し、前記挿入口２８ａをコーナーガード部材３０をもって閉蓋し、遊技機情報部材２３の抜け止めを図ることもできる。また、実施例５のように、遊技機本体２に凹部３１を形成し、該凹部内側面３１ａ（抜け止め部３２）が、遊技盤１８装着時に前記挿入口２８ａを閉蓋するよう遊技盤ベース１９の下端面１９ｄに密着し、遊技盤１８装着と同時に遊技機情報部材挿入口２８ａを閉蓋することで遊技機情報部材２３の抜け止めを図ることもできる。
また、実施例２の遊技機情報損傷防止構造を本実施例に採用することも可能である。
また、図示はしないが、遊技盤ベース１９の上端面１９ｅに遊技機情報部材挿入口２８ａを臨ませて取付部２８を備えるものとすることも可能であり、この実施例にあっても上述の各構成が設計変更のうえ採用可能である。
【実施例７】
【００３１】
本実施例７は、図８に示すように、前記実施例４に開示したように遊技盤ベース１９の裏面１９ｃに取付部２８を凹設し、該取付部２８内に収容した遊技機情報部材２３の抜け止めにコーナーガード部材３０を兼用している実施の一例を示す。なお、本実施例では、図６（ｃ）に図示した板材２４形状を有する遊技機情報部材２３をもって図示説明するが、遊技機情報部材はこれに限定されず本発明の範囲内で適宜設計変更可能である。
すなわち、コーナーガード部材３０の裏面側に、矩形状の押さえプレート３０ｂを一体的に設け、コーナーガード部材３０を遊技盤１８のコーナー部分に配設した際に、前記押さえプレート３０ｂが遊技盤ベース１９の裏面１９ｃに存する取付部２８の遊技機情報部材挿入口２８ａを覆うように位置すると共に、該押さえプレート３０ｂと取付部２８の収容部２８ｂの内面２８ｃとの間で遊技機情報部材２３を挟持する。これにより、遊技機情報部材２３の抜け止めが図れる。その他の作用効果は、実施例４と同様であるため説明は省略する。
【実施例８】
【００３２】
本実施例８は、図９に示すように、実施例３で開示したコーナーガード部材３０に代えて、図示した形状の保護部材３３を遊技盤１８の外周に備えた実施の一例を示す。
【００３３】
保護部材３３は、例えば本実施例によれば、遊技盤１８の奥行き方向幅Ｗ１よりも大きい幅W２を有する４片の平板状部材３４ａ〜３４ｄからなる短尺角筒状に形成され、夫々の４片の平板状部材３４ａ〜３４ｄが、正面視略矩形状の遊技盤１８の外周３５ａ〜３５ｄの４面全域を覆うように固着されている。
【００３４】
本実施例の保護部材３３は、実施例３のコーナーガード部材３０と同様に、遊技盤ベース１９の角欠け等を防ぐと共に、取付部２８の遊技機情報部材挿入口２８ａを塞ぎ、証紙などの遊技機情報２５を添付した遊技機情報部材２３の抜け落ちを防止することができる。
本実施例によれば、遊技盤１８の外周３５ａ〜３５ｄ全域が保護部材３３により保護されているため、遊技機本体２への着脱時に遊技盤１８を誤って落下させてしまったり、あるいは遊技機本体１に接触させてしまったとしても、遊技盤１８を損傷したりする虞がない。
また、上述の通り遊技盤１８の損傷が防げるため、傷やひびなどからくる盤面の曇りなども生じない。
すなわち、遊技盤１８が誤って落下したり、遊技機本体２などに接触したりしたとしても、遊技盤１８の奥行き方向幅Ｗ１よりも突出している保護部材３３が床面や遊技機本体２と接触する確率が高いので、遊技盤１８に損傷を与える虞はない。
さらに、保護部材３３が遊技盤１８の外周全域を覆うことで、遊技盤１８を補強することともなり、例えば遊技釘１７の調整作業の際であっても遊技盤１８が損傷する虞がない。
また、万が一、遊技盤１８に外部から熱が伝わったとしても、遊技盤１８の外周全域にて保護部材３３が補強しているため変形などを招く虞もない。
【００３５】
本実施例において保護部材３３は、ゴムなどの弾性部材とする。
このように、ゴムなどの弾性部材にて保護部材３３を構成すれば、外部からの衝撃を保護部材３３が吸収するので、遊技盤１８に掛かる衝撃を緩和させて遊技盤１８の損傷を防ぐことができる。
また、本実施例によれば、保護部材３３として弾性部材を用いたので、例えば遊技機本体２への取り付け作業の時、遊技盤１８を保護することはもとより、遊技機本体２の保護をも図ることができる。
【００３６】
なお、本実施例では上述の通りゴムなどの弾性部材を用いたが、遊技盤１８を保護することに着目すれば、特にその保護部材３３の材質は限定解釈されるものではなく、例えば、合成樹脂材、金属、セラミックス、木材など本発明の範囲内で適宜最適な材質からなるものに設計変更可能である。
【００３７】
保護部材３３は、その奥行き方向幅Ｗ２が、少なくとも遊技盤１８の奥行き方向幅Ｗ１よりも大きく形成されているものとすれば、その形状（外観形状や肉厚など）は特に限定されず遊技機本体２に装着可能な範囲で適宜設計変更可能である。
また、本実施例では正面視略矩形状の遊技盤１８を一例としているため保護部材３３を４片の平板状部材３４ａ〜３４ｄからなる構成としているが、遊技盤１８形状が他の形状、例えば正面視円形状などであった場合にはその外周にあった円環状の部材からなる構成とすることも可能である。
なお、図面では保護部材３３の概略を表しており、実際には発射装置から発射された遊技球の通過領域が下片の平板状部材３４ｂの一部に形成されているがここではその記載を省略している。
【００３８】
本実施例では、４片の平板状部材３４ａ〜３４ｄが連続して短尺角筒形状の保護部材３３を形成しているが、これら４片の平板状部材３４ａ〜３４ｄは、夫々が独立しているものであってもよく、また隣り合う任意の平板状部材３４ａ〜３４ｄが、蝶番などの所定の連結部材を介して揺動可能に連結されているものであってもよい。
また、保護部材３３は、所定形状の複数個の部材からなり、これら複数個の部材は、夫々が遊技盤１８の外周３５ａ〜３５ｄに嵌合若しくは接着あるいは溶着などによって固着されているものとすることもでき本発明の範囲内である。
【００３９】
本実施例では、保護部材３３と遊技盤１８とは、所定の嵌合構造をもって固定されているものとしている。
本実施例では、保護部材３３を構成している４片の平板状部材３４ａ〜３４ｄの夫々の内面長さ方向Ｌに、所定深さの凹条部（凹条溝）３６が４片にわたって連続して形成されており、遊技盤１８の外周３５ａ〜３５ｄが前記凹条部３６に嵌り合うことで両者の密着性を向上させている。
本発明によれば、遊技盤１８と保護部材３３との高い密着性が得られ、特に必要部品を備えなくとも簡単かつ確実に安定した固定が実現できる。
【００４０】
本実施例では、４片の平板状部材３４ａ〜３４ｄの全てが、遊技盤１８の外周３５ａ〜３５ｄの４面の全てと嵌合する構造としているが、少なくとも１片、若しくは２片以上、あるいは対向する２片（上片と下片、左片と右片）に嵌合構造を有しているものとしてもよく本発明の範囲内である。
また、図示はしないが、例えば遊技盤１８の外周の周方向に突部を断続して形成する構成を採用した場合、保護部材３３の内面には、前記遊技盤１８の外周の突部が嵌り合う凹部が断続して形成されるものとすることができる。
なお、本実施例では、このように嵌合構造をもって遊技盤１８と保護部材３３の両者の固着を図っているが、特に嵌合構造を有しないものでもよい。例えば接着剤などを介して遊技盤１８の外周に保護部材３３を固着するものとしたり、あるいは遊技盤１８の外周に直接ゴムなどの弾性部材を溶着して保護部材３３を形成することも可能である。
【００４１】
なお、図示はしないが、保護部材の内面に連続した突条部を備えると共に、該突条部が嵌り合う連続した凹条部を遊技盤の外周に備え、該突条部と凹条部との嵌合構造を採用することで遊技盤と保護部材との固着を図ることも可能である。
【図面の簡単な説明】
【００４２】
【図１】本発明弾球遊技機の実施例１を示す開扉状態の概略斜視図。
【図２】（ａ）は要部を拡大して示す概略斜視図、（ｂ）はその横断面図で下方から見た状態を示す。
【図３】遊技盤ベースの一実施例を示す概略斜視図。
【図４】実施例２の概略を示し、（ａ）は遊技機情報部材の挿入状態を示す斜視図、（ｂ）はその縦断面図。
【図５】実施例３の概略を示す分解斜視図。
【図６】実施例４の概略を示し、（ａ）は遊技機情報部材の挿入状態を示す斜視図、（ｂ）は本実施例において遊技盤ベース側に支持部を設けた一例を示す概略縦断面図、（ｃ）は本実施例において遊技機情報部材側に支持部を設けた一例を示す概略縦断面図。
【図７】実施例６の概略を示し、（ａ）は要部を示す斜視図、（ｂ）はその横断面図で下方から見た状態を示す。
【図８】実施例７の概略を示し、（ａ）は要部を示す正面図、（ｂ）はその横断面図下方からみ他状態を示す。
【図９】実施例８の概略を一部切欠いて示す斜視図。
【符号の説明】
【００４３】
２  遊技機本体
１８  遊技盤
１９  遊技盤ベース
１９ａ  側面
１９ｂ  前面
１９ｃ  裏面
１９ｄ  下端面
１９ｅ  上端面
２０  遊技部材
２３  遊技機情報部材
２４  板材
２４ｂ  端部
２５  遊技機情報
２６  支持部（遊技機情報部材側）
２８  取付部
２８ａ  遊技機情報部材挿入口
２８ｂ  収容部
２９  支持部（取付部側）
３０  コーナーガード部材
３１  凹部
Ｓ３〜Ｓ５  隙間
【図１】
2005125074.tif 000003
【図２】
2005125074.tif 000004
【図３】
2005125074.tif 000005
【図４】
2005125074.tif 000006
【図５】
2005125074.tif 000007
【図６】
2005125074.tif 000008
【図７】
2005125074.tif 000009
【図８】
2005125074.tif 000010
【図９】
2005125074.tif 000011